(57)【要約】【課題】タイマー設定時間の増減を可能とするとともに、長時間のタイマー設定を行いたい場合には、早く目的の設定時間に設定できる加熱調理器を提供することを目的とする。【解決手段】加熱装置２の操作部６は、タイマーの時間を設定する上で設定時間を増加させるタイマー増加キー１５と、設定時間を減少させるタイマー減少キー１６と、タイマー時間または残時間を表示するタイマー時間表示装置７とを有し、未タイマー設定時にタイマー増加キー１５を押すとタイマー最小時間を、タイマー減少キー１６を押した場合はタイマー最大時間を設定するようにしたものである。これによって、タイマー増加キー１５とタイマー減少キー１６により、設定時間の増減が可能となるとともに、長時間のタイマー設定を行う場合には、タイマー減少キー１６の操作により、いち早く目的の設定時間に設定できるものである。【選択図】図１
2008122308.tif 000002
【特許請求の範囲】
【請求項１】
加熱装置と、加熱装置の操作部と、操作部からの信号を受けて加熱装置の火力を複数段階に制御する制御装置とを備え、前記操作部は、タイマーの時間を設定する上で設定時間を増加させるタイマー増加キーと、設定時間を減少させるタイマー減少キーと、タイマー時間または残時間を表示するタイマー時間表示装置とを有し、未タイマー設定時にタイマー増加キーを押すとタイマー最小時間を、タイマー減少キーを押した場合はタイマー最大時間を設定するようにした加熱調理器。
【請求項２】
タイマー最小時間からタイマー減少キーを押した場合には、タイマー解除表示をする請求項１に記載の加熱調理器。
【請求項３】
タイマー最大時間からタイマー増加キーを押した場合には、タイマー解除表示をする請求項１に記載の加熱調理器。
【請求項４】
加熱中にタイマー解除表示が表示されてから、タイマー増加キー、タイマー減少キーのいずれも所定時間押されない状態が続くと、タイマー解除表示の表示を消し、加熱を継続する請求項２または３に記載の加熱調理器。
【請求項５】
タイマー解除表示の表示中にタイマー増加キーを押すと、タイマー最小時間を表示する請求項２〜４のいずれか１項に記載の加熱調理器。
【請求項６】
タイマー解除表示の表示中にタイマー減少キーを押すと、タイマー最大時間を表示する請求項２〜４のいずれか１項に記載の加熱調理器。
【請求項７】
タイマー最小時間からタイマー減少キーを押した場合、時間表示を消すとともに、加熱中は加熱を継続する請求項１に記載の加熱調理器。
【請求項８】
タイマー最大時間からタイマー増加キーを押した場合、時間表示を消すとともに、加熱中は加熱を継続する請求項１に記載の加熱調理器。
【請求項９】
タイマー増加キーは長押しすることによりタイマー時間を所定刻み時間で増加させる請求項１、３、８のいずれか１項に記載の加熱調理器。
【請求項１０】
タイマー減少キーは長押しすることによりタイマー時間を所定刻み時間で減少させる請求項１、２、７のいずれか１項に記載の加熱調理器。
【請求項１１】
タイマー増加キーまたはタイマー減少キーの長押しにより設定時間がタイマー解除表示となった場合には、一旦長押し状態が解除されない限りタイマー時間表示に移行しないようにした請求項５または６に記載の加熱調理器。
【請求項１２】
タイマー増加キーまたはタイマー減少キーの長押しにより設定時間がタイマー解除表示となった場合には、所定時間長押し状態が解除されない場合、加熱を停止させるようにした請求項１１に記載の加熱調理器。
【発明の詳細な説明】
【技術分野】
【０００１】
本発明は、家庭用や業務用のキッチンなどにおいて用いられる加熱調理器に関するものである。
【背景技術】
【０００２】
従来、この種の加熱調理器において、加熱時間のタイマー設定は、タイマーキーを押すことにより、タイマー時間表示装置にタイマー時間が表示されるものであり、タイマーキーを押すたびにタイマー時間を増加させ、所定のタイマー時間に設定することができる（例えば、特許文献１参照）。
【特許文献１】特許第３２６４２３５号公報
【発明の開示】
【発明が解決しようとする課題】
【０００３】
しかしながら、前記従来の構成では、タイマー時間の設定は、タイマーキーを押すことで時間を増加させるのみで、減少させることができない。そのため、使用者が望む設定時間（例えば、３時間）を超えてしまった場合、そのままタイマーキーを押し続けて時間を増加させ、ループを再度繰り返し設定時間まで合わせるか、一旦、タイマー取消キーを押し、もう一度タイマーキーを押して設定し直すしかないものであった。また、長時間のタイマー設定を行いたい場合（例えば、９時間）、タイマーキーを押し続けなければならず、使い勝手が悪いものであった。
【０００４】
本発明は、前記従来の課題を解決するもので、タイマー設定時には、設定時間の増減を可能とするとともに、長時間のタイマー設定を行いたい場合には、いち早く目的の設定時間に設定できる、タイマーの使い勝手を向上させ加熱調理器を提供することを目的とする。
【課題を解決するための手段】
【０００５】
前記従来の課題を解決するために、本発明の加熱調理器は、加熱装置の操作部は、タイマーの時間を設定する上で設定時間を増加させるタイマー増加キーと、設定時間を減少させるタイマー減少キーと、タイマー時間または残時間を表示するタイマー時間表示装置とを有し、未タイマー設定時にタイマー増加キーを押すとタイマー最小時間を、タイマー減少キーを押した場合はタイマー最大時間を設定するようにしたものである。
【０００６】
これによって、タイマー設定時には、タイマー増加キーとタイマー減少キーにより、設定時間の増減が可能となるとともに、長時間のタイマー設定を行いたい場合には、タイマー減少キーの操作により、いち早く目的の設定時間に設定できるものである。
【発明の効果】
【０００７】
本発明の加熱調理器は、設定時間の増減を可能とするとともに、長時間のタイマー設定を行いたい場合には、いち早く目的の設定時間に設定でき、タイマーの使い勝手を向上させることができる。
【発明を実施するための最良の形態】
【０００８】
第１の発明は、加熱装置と、加熱装置の操作部と、操作部からの信号を受けて加熱装置の火力を複数段階に制御する制御装置とを備え、前記操作部は、タイマーの時間を設定する上で設定時間を増加させるタイマー増加キーと、設定時間を減少させるタイマー減少キーと、タイマー時間または残時間を表示するタイマー時間表示装置とを有し、未タイマー設定時にタイマー増加キーを押すとタイマー最小時間を、タイマー減少キーを押した場合はタイマー最大時間を設定するようにした加熱調理器とするものである。これによって、タイマー設定時には、タイマー増加キーとタイマー減少キーにより、設定時間の増減が可能となるとともに、長時間のタイマー設定を行いたい場合には、タイマー減少キーの操作により、いち早く目的の設定時間に設定できるものである。
【０００９】
第２の発明は、特に、第１の発明において、タイマー最小時間からタイマー減少キーを押した場合には、タイマー解除表示をすることにより、タイマー時間が０になったことと区別することができ、誤ってタイマー増加キーを押したときなどに、タイマー取消キーがなくともタイマーを取り消す状態にできる。
【００１０】
第３の発明は、特に、第１の発明において、タイマー最大時間からタイマー増加キーを押した場合には、タイマー解除表示をすることにより、タイマー時間が０になったことと区別することができ、誤ってタイマー減少キーを押したときなどに、タイマー取消キーがなくともタイマーを取り消す状態にできる。
【００１１】
第４の発明は、特に、第２または第３の発明において、加熱中にタイマー解除表示が表示されてから、タイマー増加キー、タイマー減少キーのいずれも所定時間押されない状態が続くと、タイマー解除表示の表示を消し、加熱を継続することにより、誤ってタイマー増加キーあるいはタイマー減少キーが押されたときや、タイマー設定による加熱を停止したい場合に、通常の加熱のみに戻すとともにタイマー解除表示の表示を消すことで、タイマー加熱が取り消されたことを使用者に視覚的に知らしめることができる。
【００１２】
第５の発明は、特に、第２〜第４のいずれか１つの発明において、タイマー解除表示の表示中にタイマー増加キーを押すと、タイマー最小時間を表示することにより、タイマー減少キーを誤って押した場合にも複雑な操作なしに、容易に所望のタイマー時間を設定することができる。
【００１３】
第６の発明は、特に、第２〜第４のいずれか１つの発明において、タイマー解除表示の表示中にタイマー減少キーを押すと、タイマー最大時間を表示することにより、タイマー増加キーを誤って押した場合にも複雑な操作なしに、容易に所望のタイマー時間を設定することができる。
【００１４】
第７の発明は、特に、第１の発明において、タイマー最小時間からタイマー減少キーを押した場合、時間表示を消すとともに、加熱中は加熱を継続することにより、タイマー表示が消えるので、加熱を停止させることなくタイマー設定が取り消されたことを容易に理解することができる。
【００１５】
第８の発明は、特に、第１の発明において、タイマー最大時間からタイマー増加キーを押した場合、時間表示を消すとともに、加熱中は加熱を継続することにより、タイマー表示が消えるので、加熱を停止させることなくタイマー設定が取り消されたことを容易に理解することができる。
【００１６】
第９の発明は、特に、第１、第３、第８のいずれか１つの発明において、タイマー増加キーは長押しすることによりタイマー時間を所定刻み時間で増加させることにより、長押しをすることで通常よりも早い間隔で時間を増加させることが可能となり、使い勝手を向上させることができる。
【００１７】
第１０の発明は、特に、第１、第２、第７のいずれか１つの発明において、タイマー減少キーは長押しすることによりタイマー時間を所定刻み時間で減少させることにより、長押しをすることで通常よりも早い間隔で時間を減少させることが可能となり、長時間のタイマー設定を行いたい場合などの使い勝手を向上させることができる。
【００１８】
第１１の発明は、特に、第５または第６の発明において、タイマー増加キーまたはタイマー減少キーの長押しにより設定時間がタイマー解除表示となった場合には、一旦長押し状態が解除されない限りタイマー時間表示に移行しないようにしたことにより、タイマーキーの故障や誤動作により長押し状態になった場合、意図せず長時間のタイマー設定になるのを防ぐことができる。
【００１９】
第１２の発明は、特に、第１１の発明において、タイマー増加キーまたはタイマー減少キーの長押しにより設定時間がタイマー解除表示となった場合には、所定時間長押し状態が解除されない場合、加熱を停止させるようにしたことにより、タイマーキーの故障や誤動作により長押し状態になった場合、意図せず長時間のタイマー設定になるのを防ぐことができるとともに、所定時間長押しが継続する場合は異常として加熱を停止させるので、より安全性を保つことができる。
【００２０】
以下、本発明の実施の形態について、図面を参照しながら説明する。なお、この実施の形態によって本発明が限定されるものではない。
【００２１】
（実施の形態）
図は、本発明の実施の形態における加熱調理器を示している。
【００２２】
図１において、商用電源１に接続されている加熱装置２は、鍋などを誘導加熱するための加熱コイル３と加熱コイル３に高周波電流を流すインバータ回路４を有する。制御装置５は、加熱装置２の操作部６からの信号を受けて、「弱」から「強」の８段階の火力が鍋などに加わるようにインバータ回路４を制御している。さらに、制御装置５は、第１制御部５ａ、第２制御部５ｂ、第３制御部５ｃを有する。第１制御部５ａはタイマー時間を段階的に増加あるいは減少させ、第２制御部５ｂはタイマー時間の増加または減少を停止させ、第３制御部５ｃはタイマーモードを終了させる。
【００２３】
操作部６は、タイマー時間表示装置７、火力表示装置８、ダウンキー９、アップキー１０、加熱切／入キー１１、タイマー増加キー１５、タイマー減少キー１６を有する。タイマー時間表示装置７はタイマー時間または残時間を表示し、ＬＥＤやＬＣＤからなる。火力表示装置８はＬＥＤからなる。タイマー時間は、使用者が設定する時間であり、残時間はタイマー時間が０になるまでの残り時間である。ダウンキー９とアップキー１０は、火力のダウンとアップを操作するもので、火力表示装置８にその表示がなされる。加熱切／入キー１１は、加熱のＯＮ／ＯＦＦ操作をする。
【００２４】
タイマー増加キー１５はタイマーの時間を設定する上で設定時間を増加させるキーであり、タイマー減少キー１６は設定時間を減少させるキーである。そして、未タイマー設定時にタイマー増加キー１５を押すとタイマー最小時間を、タイマー減少キー１６を押した場合はタイマー最大時間を設定するようにしている。
【００２５】
また、ブザーなどからなる報知装置１４は、各キーの受付や異常時の警告報知時に吹鳴する。長押し計時装置１７は、タイマー増加キー１５またはタイマー減少キー１６が連続で押されている時間を計時するものである。
【００２６】
以上のように構成された加熱調理器について、以下その動作、作用を説明する。
【００２７】
まず、加熱を行うには、使用者が加熱切／入キー１１を押す。すると設定火力が「５」となるように操作部６から制御装置５に信号が送られ、制御装置５がインバータ回路４を制御するとともに、火力表示装置８には「弱」から「５」までのＬＥＤが点灯する。ここで、火力の「弱」、１、２、３、４、５、６、「強」はそれぞれ約１２０Ｗ、約２３５Ｗ、約３７０Ｗ、約５００Ｗ、約７００Ｗ、約１０００Ｗ、約１４５０Ｗ、約２０００Ｗに設定されている。そして、ダウンキー９やアップキー１０により任意の火力に設定変更することが可能であり、設定変さらに合わせて火力表示装置８に火力が表示される。また、加熱を終了するときは再度加熱切／入キー１１を押す。
【００２８】
また、加熱調理器２は、切り忘れ防止のしきい値時間として例えば４５分を設定し、何も操作されていない状態が４５分続くと切り忘れ防止として、加熱停止させる機能を有している。さらに使用者は、タイマー加熱により、設定された時間後に加熱の自動オフをさせたい場合にタイマーを設定できる。タイマー増加キー１５を押すとタイマー時間表示装置７にタイマー時間が表示されるとともに、タイマー増加キー１５が押されるたびにタイマー時間が増加し、最大９時間３０分まで設定できる。また、タイマー減少キー１６を押すとタイマー時間表示装置７に表示されているタイマー時間が減少する。
【００２９】
通常、各キーは０．１秒でそのキーが押されたと認識するが、それ以上は長押しと判断しタイマー増加キー１５とタイマー減少キー１６以外は、連続した動作になることはない。例えば、アップキー１０を長押ししても、火力がアップするのは１段階のみである。タイマー増加キー１５とタイマー減少キー１６は、長押しを検知すると一定時間間隔毎に、すなわち、０．２秒間隔毎にタイマー時間を増加または減少させる。なお、長押し時のタイマー時間の増減間隔は一定としたが、段階的に短くしていってもよい。
【００３０】
タイマー時間が長時間になれば、タイマー設定時間の５分や１０分の違いはあまり意味がない。そのため、タイマーの時間増加刻みは、１分から２０分までは１分刻み、２０分から１時間までは５分刻み、１時間から３時間までは１０分刻み、３時間から９時間３０分までは３０分刻みの設定になっている。また、タイマーは加熱の有無に関わらず設定可能である。
【００３１】
次に、図２、図３を用いて、タイマー増加キー１５およびタイマー減少キー１６が押されたときにタイマー時間表示装置７に表示される状態を説明する。
【００３２】
まず、図２において、状態２０はタイマー時間が設定されていない未タイマー設定時の状態である。このとき加熱装置２の動作の有無はどちらでもよい。状態２０でタイマー増加キー１５が押されるとタイマーモードとなりタイマー時間表示装置７がタイマー時間として１分と表示する（状態２１）。さらにタイマー増加キー１５が押されるとタイマー時間表示装置７の表示は２分を表示する（状態２２）。以下同様に、タイマー時間はタイマー増加キー１５を押すごとに９時間３０分までは、所定の増加刻みで時間を増やすことができる（状態２２、２３）。
【００３３】
同様に、状態２０からタイマー減少キー１６が押されるとタイマーモードとなり、タイマー時間表示装置７がタイマー時間として９時間３０分と表示する（状態２５）。さらにタイマー減少キー１６が押されるとタイマー時間表示装置７の表示は９時間を表示する（状態２４）。以下同様にタイマー減少キー１６を押すごとに１分まで、所定の減少刻みで時間を減少させることができる。これによりタイマー時間を長時間合わせたいときには、１分から時間を増加させなくてもタイマー減少キー１６にて最大時間から時間を減らすことができるので、より少ない回数押しあるいは短い時間でタイマーをあわせることができる。
【００３４】
例えば、タイマー時間を９時間にしたい場合など、タイマー増加キー１５では数十回押す、あるいは数秒間押し続けなければならないが、タイマー減少キー１６を使用すれば２回押しであわせることができる。また、タイマー増加キー１５とタイマー減少キー１６は、タイマー時間合わせ中はどちらも使用できるので、例えば、状態２１と状態２２の間を行き来でき、所望のタイマー時間を行き過ぎた場合などにも戻ることができる。特に、３時間以上の場合は設定時間刻みが３０分であり、例えば、３時間を設定しようとしたときに誤ってタイマー増加キー１５を押しすぎて３時間３０分になった場合でも、その状態からタイマー減少キー１６を１回押せば３時間にすることができるのでタイマーを取り消して再度タイマー時間を合わせなおさなくてもよい。
【００３５】
次に、図３について説明する。図３における状態２０から２５までは、図２と同じである。図３では状態２５からタイマー増加キー１５を押す、あるいは状態２１からタイマー減少キー１６を押すと、タイマー解除表示（「―――」）を表示するようにしている。さらにタイマー解除表示の表示状態（状態２６）で所定時間（ここでは１０秒間）タイマー増加キー１５あるいはタイマー減少キー１６が押されない状態が継続すれば、タイマーが取り消されたとして状態２０に移行する。このとき、加熱装置２により加熱中であれば、タイマー設定のみを取り消す。これによりタイマー取消のためのキーがなくても、タイマー増加キー１５およびタイマー減少キー１６のみでタイマーを取り消すことができ、キーを減らすことが可能である。
【００３６】
また、図４に示すように、状態２５からタイマー増加キー１５を押したときや、状態２１位置からタイマー減少キー１６を押した場合に、状態２０に移行するようにしてもよい。この場合、状態２０に戻った段階で、タイマー表示時間が消えるので取り消されたことを容易に知らしめることができる。
【００３７】
さらに、図３のタイマー解除表示を表示する（状態２６）からタイマー増加キー１５を押すとタイマー時間１分を表示する（状態２１）。同様に、タイマー解除表示を表示する（状態２６）からタイマー減少キー１６を押すと９時間３０分を表示する（状態２５）。これにより、タイマー増加キー１５とタイマー減少キー１６が隣り合ってある場合などで、意図するキーと反対のキーを押してしまったときなど、容易に所望の時間に合わせることができ、使い勝手を向上できる。
【００３８】
また、タイマーの増加、減少キーのみ長押しを有効としているので、所望の設定時間に合わせたいときに、何回もキーを押す動作を行わなくても、押し続けることでタイマー時間を設定できる。
【００３９】
しかし、仮にタイマー増加キー１５が押し続けられると、状態２６から２１と繰り返され続けしまう。この場合、もし、キーの故障で押し続けられる状態になった場合、キー操作がされ続けており切り忘れ防止の４５分が働かない状態となってしまう。そのため長押しにより状態２５から２６、または状態２１から２６になった場合には、状態２６から一旦長押しが解除されない限り、状態２６から２１または状態２６から２５へは移行しないようにする。これにより故障などでキーが長押し状態になってもタイマー時間が回り続けることを防止できる。さらに、キーの長押しが解除されるタイマー解除表示が所定時間（例えば、１０秒）継続した場合には、キーの異常と判断して加熱を停止させる。それによりより安全は加熱調理器とすることができる。
【００４０】
また、長押しの異常によりタイマー時間の増加が止まった際に、報知装置１４にて異常を報知する。このことにより、使用者がタイマー増加キー１５あるいはタイマー減少キー１６を押し続けてタイマー時間を合わせている際に、なぜ時間増加が停止したかを知らしめることができる。あるいは機器の側から離れている場合にも機器に異常が起きていることを知らしめることができる。
【００４１】
なお、本実施の形態では、加熱装置２を誘導加熱としたが、ガスやシーズヒータなどの熱源としてもよい。また、各キーは一般にスイッチ構成をとっているが、静電容量検知式のタッチキーとしても同様の効果が得られる。
【産業上の利用可能性】
【００４２】
以上のように、本発明にかかる加熱調理器は、設定時間の増減を可能とするとともに、長時間のタイマー設定を行いたい場合には、いち早く目的の設定時間に設定でき、タイマーの使い勝手を向上させることができるので、電子レンジ、ジャー炊飯器、ジャーポット、誘導加熱調理器、ガステーブル、ガス調理器具、ホームベーカリー、トースターなどのタイマー機能を有する機器においても適用できる。
【図面の簡単な説明】
【００４３】
【図１】本発明の実施の形態における加熱調理器の構成を説明するブロック図
【図２】同加熱調理器のタイマーキーによる表示動作を示す図
【図３】同加熱調理器のタイマーキーによる表示動作を示す図
【図４】同加熱調理器のタイマーキーによる他の表示動作を示す図
【符号の説明】
【００４４】
１  商用電源
２  加熱装置
５  制御装置
６  操作部
７  タイマー時間表示装置
１５  タイマー増加キー
１６  タイマー減少キー
【図１】
2008122308.tif 000003
【図２】
2008122308.tif 000004
【図３】
2008122308.tif 000005
【図４】
2008122308.tif 000006